(57)【要約】【課題】    世界の名物コースでプレーするという実体験を経験でき、また自分のパッティングとプロのパッティングを比較することができ、さらには、ビル屋上の緑化管理を実現することができるパターゴルフ場およびパターゴルフ場の管理システムを提供すること。【解決手段】  本発明のパターゴルフ場は、パターゴルフを行うパターゴルフ場（１）において、該パターゴルフ場（１）をビル（Ａ）の屋上に設置するとともに、前記パターゴルフ場（１）を、世界の名物ホールと同形状に形成したことを特徴とする。  またパターゴルフ場の管理システム（１０）は、前記パターゴルフ場（１）をインターネット（Ｂ）のＷｅｂ上で開設し、管理センターで複数のパターゴルフ場の空き情報、予約情報、環境情報等を一括管理し、ユーザーはパソコンを通して情報を受け入手することを特徴とする【選択図】図１
2011104320.tif 000002
【特許請求の範囲】
【請求項１】
パターゴルフを行うパターゴルフ場において、該パターゴルフ場をビルの屋上に設置するとともに、前記パターゴルフ場を、世界の名物ホールと同形状に形成したことを特徴とするパターゴルフ場。
【請求項２】
前記パターゴルフ場に、理想のパットラインを表示するパットライン表示装置を具備した請求項１記載のパターゴルフ場。
【請求項３】
前記パターゴルフ場に、プロプレーヤーのパッティングを表示する再生装置を備えた請求項１または２記載のパターゴルフ場。
【請求項４】
前記パターゴルフ場に、同時間に競技されているゴルフの試合状況を表示するモニター装置を具備した請求項１ないし３のうちいずれか一項に記載のパターゴルフ場。
【請求項５】
前記パターゴルフ場をインターネットのＷｅｂ上で開設し、管理センターで複数のパターゴルフ場の空き情報、予約情報、環境情報等を一括管理し、ユーザーはパソコンを通して情報を受け予約することを特徴とするパターゴルフ場の管理システム。
【請求項６】
前記管理センターで有名ゴルフ場と接続し、現地の天候と温度等の環境状況を前記パターゴルフ場に再現する請求項５記載のパターゴルフ場の管理システム。
【請求項７】
前記管理センターで複数のパターゴルフ場と接続し、パター競技を同時に開催する請求項５または６記載のパターゴルフ場の管理システム。
【発明の詳細な説明】
【技術分野】
【０００１】  本発明は、世界の有名ホールでのパッティングをリアルタイムで実体験することができるとともに、ビル屋上の緑化管理を実現することができるパターゴルフ場およびパターゴルフ場の管理システムに関する。
【背景技術】
【０００２】  パターのみを用いてゴルフボールを打ち、コース毎に設けられたホールに入れるパターゴルフは、専用のパターゴルフ場にて行われる。通常のパターゴルフ場は、公園やホテル内の敷地、また屋内等の比較的狭い場所に設置することができる。また、ルールも複雑でなく、高度の技術や熟練を必要としないため、老若男女や未経験の人々が楽しむことができる。【０００３】  また、通常のパターゴルフ場は、土上に芝生を植成させたり、コンクリート上に人工芝を敷設させたりして形成されている。またコース毎にホールを設けるとともに、平面部分と傾斜箇所等を組み合わせることで、ゴルフのプレー感覚を満喫することができ設定となっている。
【先行技術文献】
【特許文献】
【０００４】  また従来技術として、実際的なアンジュレーションを形成することが容易であり、練習場の製作、設置費用が安価であり、天候や気温に左右されない屋内にも簡単に設置でき、しかも、形状変更や移動が容易な簡易パターゴルフ練習場がある（例えば、特許文献１参照）。
上掲特許文献１の簡易パターゴルフコースは、発泡体状の樹脂材により扁平に形成され、下面がほぼ水平に形成された上面がゴルフのフェアウェイ及びラフの形状に加工された基台と、該基台の上面を被覆する人工芝とを有し、フェアウェイの表面にホールカップが設けられて成ることを特徴とする。
【特許文献１】実開平５−８８５７６号公報
【発明の概要】
【発明が解決しようとする課題】
【０００５】  しかしながら、上掲特許文献１の簡易パターゴルフコースは、架空のグリーンを設定し、そのアンジュレーションに対応してプレーするため、高い臨場感や緊迫感、また満足感を実感することはできなかった。【０００６】  また自分のプレーと一流プロのプレーを比較したり、リアルタイムで一流のプレーヤーとプレーしたり、さらには、世界の名物コースでプレーするという実体験を経験することはできなかった。【０００７】  そこで本発明は、上記した従来技術の問題点を解消し、世界の名物コースでプレーするという実体験を経験でき、また自分のパッティングとプロのパッティングを比較することができ、さらには、ビル屋上の緑化管理を実現することができるパターゴルフ場およびパターゴルフ場の管理システムを提供することにある。
【課題を解決するための手段】
【０００８】  上記課題を解決するために、本発明のパターゴルフ場は、パターゴルフを行うパターゴルフ場において、該パターゴルフ場をビルの屋上に設置するとともに、前記パターゴルフ場を、世界の名物ホールと同形状に形成したことを特徴とする。【０００９】  また前記パターゴルフ場に、理想のパットラインを表示するパットライン表示装置を具備した。【００１０】  また前記パターゴルフ場に、プロプレーヤーのパッティングを表示する再生装置を備えた。【００１１】  また前記パターゴルフ場に、同時間に競技されているゴルフの試合状況を表示するモニター装置を具備した。【００１２】  前記パターゴルフ場をインターネットのＷｅｂ上で開設し、管理センターで複数のパターゴルフ場の空き情報、予約情報、環境情報等を一括管理し、ユーザーはパソコンを通して情報を受け予約することを特徴とするパターゴルフ場の管理システム。【００１３】  また前記管理センターで有名ゴルフ場と接続し、現地の天候と温度等の環境状況を前記パターゴルフ場に再現するパターゴルフ場の管理システム。【００１４】  さらに、前記管理センターで複数のパターゴルフ場と接続し、パター競技を同時に開催するパターゴルフ場の管理システム。
【発明の効果】
【００１５】  パターゴルフ場をビルの屋上に設置するとともに、前記パターゴルフ場を、世界の名物ホールと同形状に形成したことにより、世界の有名ホールでのパッティングを実体験することができるとともに、ビル屋上の緑化管理を実現することができる。【００１６】  また前記パターゴルフ場に、パットライン表示装置、プロプレーヤーのパッティングを表示する再生装置、同時間に競技されているゴルフの試合状況を表示するモニター装置を具備したことにより、自分のプレーと一流プロのプレーを比較したり、リアルタイムで一流のプレーヤーとプレーしたり、さらには、世界の名物コースでプレーするという実体験を経験することができる。【００１７】  さらに、インターネットの管理センターで複数のパターゴルフ場の空き情報、予約情報、環境情報、また現地の天候や温度等を一括管理することで、オーナーやユーザーへの利便性が向上する。【００１８】  なお、パターゴルフ場をビルの屋上に設置することにより、パターゴルフ場にて得られた収益で、ビルのメンテナンスやその他の費用に割り当てられ、ビル管理や商ビジネスの面でも優れた効果が得られる。
【図面の簡単な説明】
【００１９】
【図１】本発明によるパターゴルフ場の管理システムの説明図である。
【図２】パターゴルフ場の全体図である。
【図３】前記パターゴルフ場の使用状態を示す。
【発明を実施するための形態】
【００２０】  以下、本発明におけるパターゴルフ場およびパターゴルフ場の管理システムの実施の形態を図面に基づいて説明する。
本発明のパターゴルフ場およびパターゴルフ場の管理システムは、世界の名物コースでプレーするという実体験を経験でき、また自分のパッティングとプロのパッティングを比較することができ、さらには、ビル屋上の緑化管理を実現することができることを特徴とする。なお、前記パターゴルフ場を設置するビルは、マンション、公団、店舗等のさまざまなビルが挙げられる。
【００２１】  図２に示すパターゴルフ場１は、ビルＡの屋上に設置されるもので、特に、世界の名物ホール、例えばマスターズ・トーナメントが開催される、オーガスタ・ナショナル・ゴルフクラブをはじめ、全英オープン、全米オープン、全米プロ選手権が開催される名物ホールと同形状に形成されている。
【００２２】  前記パターゴルフ場１は、ビルＡの屋上に名物ホールと同形状に盛土し、その上部に自然芝を植設して形成される。また、コースに応じて砂を用いたバンカーや池を設置する。なお、コスト面や諸条件に応じて、人工芝を用いてもよい。
【００２３】  本発明のパターゴルフ場１を世界の名物コースと同形状に形成することで、離れた地域でも世界の有名ホールでのパッティングを実体験することができる。またプレーヤーは高い臨場感や緊迫感、さらには満足感を得ることができる。
【００２４】  また本発明のパターゴルフ場１は、図示するように、ビルＡの屋上に設置されている。パターゴルフ場１は、パターのみを用いてゴルフボールを打ち、コース毎に設けられたホールに入れるスポーツであるため、それ程広いスペースを必要としない。そのことにより、空きスペースの有効利用に貢献できるとともに、ビル屋上の緑化管理を実現することができる。
【００２５】  また他の好適例として、前記パターゴルフ場１に、理想のパットラインを表示するパットライン表示装置２を具備した。パットライン表示装置２は、図３に示すように、ホールインさせるための理想のパットラインＰを等間隔に点灯表示させる装置である。
【００２６】  前記パットライン表示装置２は、ホールまでの距離やアンジュレーション、また天候や湿度等のデータをもとに、その日の最適なパットラインＰを算出して表示する。また、一流プロのパッティングを参考に、パットラインを表示することもできる。なお、前記パットライン表示装置２は、パットラインＰを点灯させる方法はもとより、点滅させてボールの流れを視覚的に表示することもできる。
【００２７】  また前記パターゴルフ場１に、プロプレーヤーのパッティングを表示する再生装置３を備えた。再生装置３は、過去のトーナメントにおいて、プロプレーヤーが同じ場所でパッティングした状態を再現するものである。再生装置３を備えることにより、一流のプロのプレーを参考にしてパッティングを楽しむことができる。
【００２８】  また前記パターゴルフ場１に、利用者がプレーする同時間に、他国で競技されているゴルフの試合状況を表示するモニター装置４を具備する。モニター装置４は、衛星放送やインターネットを介して、他国で競技されているトーナメントを同時放送するもので、一流プロの動作や心理を、離れた場所で同時に実体験することができる。
【００２９】  次に、前記パターゴルフ場の管理システムを図１に基づいて説明する。本発明の管理システム１０は、ビルＡの屋上に設置されたパターゴルフ場１をインターネットＢのＷｅｂ上で開設し、管理センターで複数のパターゴルフ場１の空き情報、予約情報、環境情報等を一括管理し、ユーザーはパソコンを通して情報提供を受けることを特徴とするものである。
【００３０】  管理センター（図示せず）は、インターネットＢのＷｅｂ上で前記情報を表示する。一方、ユーザーは、パソコンを通してこのＷｅｂ上にアクセスし、パターゴルフ場１の空き情報、予約情報、環境情報等を参考に、希望の日時や時刻を予約する。インターネットを介してパターゴルフ場１のそれぞれの情報を表示、入手することができるため、オーナーやユーザーへの利便性を向上させることができる。
【００３１】  また前記管理センターは、世界の有名ゴルフ場Ｃと接続されており、現地の天候と温度等の環境状況を前記パターゴルフ場に再現することができる。管理センターは、ＣＰＵ等の制御手段、入出力手段、記憶手段等からなり、複数の有名ゴルフ場Ｃから送られてくる現地の天候と温度等の環境状況を入手する。
【００３２】  データを入手後、冷暖装置、ファン、加湿器等の環境設備（図示せず）を介し、パターゴルフ場１におけるコースごとの環境を現地と同じ状態に再現させる。そのことにより、プレーヤーは、あたかも現地の一流のゴルフコースで、且つ同じ条件で一流のプレーヤーと同時にプレーをすることを実感できる。
【００３３】  さらに他の好適例として、前記管理センターで複数のパターゴルフ場と接続し、パター競技を同時に開催することもできる。国内、または世界各国のビルの屋上でパターゴルフ場を設置し、インターネットを介して本発明のパターゴルフ場の管理システムを採用することで、パター競技（大会）を同時に開催することが可能になり、ユーザーの満足感や臨場感が高まり、さらにはビルオーナーの大規模な運営や営業を実現できる。
【００３４】  上述の如く、パターゴルフ場およびパターゴルフ場の管理システムによれば、世界の名物コースでプレーするという実体験でき、また自分のパッティングとプロのパッティングを比較することができ、さらには、ビル屋上の緑化管理を実現することができる。
【符号の説明】
【００３５】１    パターゴルフ場
２    パットライン表示装置
３    再生装置
４    モニター装置
１０  管理システム
Ａ    ビル
Ｂ    インターネット
Ｃ    有名ゴルフ場
Ｐ    パットライン
【図１】
2011104320.tif 000003
【図２】
2011104320.tif 000004
【図３】
2011104320.tif 000005